(57)【特許請求の範囲】
【請求項１】
スリット状の読取溝を有し、その読取溝に沿って奥側から手前側に引き抜かれた磁気カードのデータを読み取って所定の処理に供する磁気カードデータ処理装置において、
複数のキーを配列したキーボードと、開閉自在に設けられて所定の事項を表示する薄型扁平形状の表示部と、ロール紙の挿入を受け付けるスリット状の用紙挿入口を有してその用紙挿入口から挿入されたロール紙に所定の事項を印字して略上方に排出するプリンタと、を前記読取溝に沿ってカード引抜方向下流側からカード引抜方向上流側に向けて順に配設し、
前記表示部の下方であって前記プリンタよりカード引抜方向下流側に形成され、前記ロール紙をロール下側から補助ローラにより導いて前記プリンタ側に引出自在に収納し、前記用紙挿入口を開口させ、前記表示部の開閉により外部に対して開放・閉塞自在な用紙収納部を備え、
前記用紙挿入口は、前記プリンタの側であって、前記ロール紙を前記用紙収納部に収納した状態であっても当該ロール紙によって遮蔽されない位置に形成されており、
前記補助ローラは、前記用紙収納部に前記ロール紙が収納された状態で、ロール下側から引き出された当該ロール紙のみを前記用紙挿入口に導く位置に配置されている、
ことを特徴とする磁気カードデータ処理装置。
【請求項２】
前記表示部の開閉支点は、前記キーボード側端部に位置することを特徴とする請求項１記載の磁気カードデータ処理装置。
【請求項３】
前記キーボードをカード引抜方向上流側からカード引抜方向下流側に向って傾斜させて備え、前記表示部の最大開放位置をそのキーボードの表面に対する角度が略直角になる位置にすることを特徴とする請求項２記載の磁気カードデータ処理装置。
【発明の詳細な説明】
【０００１】
【発明の属する技術分野】
本発明は、クレジットカードやバンクカード等の磁気カードのデータ読み取りに使用される磁気カードリーダを有する磁気カードデータ処理装置に関する。
【０００２】
【従来の技術】
図４に示すように、従来のクレジット信用照会端末（以下、ＣＡＴ（Credit Authorization Terminal ）という。）１０１は、少なくともクレジットカードの磁気ストライプ部分を挿入させて操作者側に引き抜くことができるようなスリット状の読取溝１０２を備えており、この読取溝１０２に沿わせて操作者側（カード引抜方向下流側）から奥側（カード引抜方向上流側）に向って、キーボード１０３、ディスプレイ１０４、サーマルプリンタヘッドを備える印字部（図示せず）を内蔵するサーマルプリンタ部１０５を順に配設している。加えて、サーマルプリンタ部１０５の奥側には、長尺紙の外周面を印字面としてロール状に巻回したロール紙であるレシート用紙Ｐ´を収納する用紙収納部１０６が設けられている。このレシート用紙Ｐ´は、そのレシート用紙Ｐ´のロール下側から用紙先端部を引き出された状態で用紙収納部１０６に収納され、その引き出された用紙先端部は用紙収納部１０６側に開口したサーマルプリンタ部１０５の用紙挿入口（図示せず）を介してサーマルプリンタ部１０５の印字部にセットされる。なお、印字部のサーマルプリンタヘッドは、レシート用紙Ｐ´の外周面に印字可能な位置に備えられている。このレシート用紙Ｐ´は、サーマルプリンタ部１０５の印字部において所定事項を印字された後、サーマルプリンタ部１０５のレシート発行口１０７からレシートＲ´として略上方に向けて発行される。
【０００３】
【発明が解決しようとする課題】
しかしながら、前述したＣＡＴ１０１では、サーマルプリンタ部１０５が用紙収納部１０６より操作者側に配置されていることにより、用紙収納部１０６側に開口したサーマルプリンタ部１０５の用紙挿入口が操作者から見えにくくなっており、サーマルプリンタ部１０５に対するレシート用紙Ｐ´のセットが難しくなっている。
【０００４】
加えて、前述したＣＡＴ１０１では、レシートＲ´が、レシート用紙Ｐ´のロール下側から用紙先端部を引き出された状態で印字されてレシート発行口１０７から略上方に向けて発行されることにより、その巻き癖によって操作者から見て奥側に倒れてしまうので、掴み取りにくいという問題もあった。さらに、ＣＡＴ１０１のサーマルプリンタ部１０５により印字発行されるレシートＲ´は三枚（客用、店舗用、クレジット会社用）連続で発行されることにより、ＣＡＴ１０１の操作者から見て奥側に障害物等がある場合には、奥側に倒れこんだレシートＲ´がその障害物に当接してしまい破損するという問題もあった。なお、このような問題を解決すべく、図５に示すように、レシート発行口１０７にペーパガイド１０８を備え、レシート発行口１０７から発行されるレシートＲ´を操作者側に向けるようにしたものも考えられているが、用紙収納部１０６へのレシート用紙Ｐ´の補充の際等において邪魔になるので、得策ではない。
【０００５】
本発明の目的は、プリンタの用紙挿入口へのロール紙のセットが容易な磁気カードデータ処理装置を得ることである。
【０００６】
本発明の目的は、発行されたレシートを掴み取り易くすることができる磁気カードデータ処理装置を得ることである。
【０００７】
【課題を解決するための手段】
請求項１記載の発明は、スリット状の読取溝を有し、その読取溝に沿って奥側から手前側に引き抜かれた磁気カードのデータを読み取って所定の処理に供する磁気カードデータ処理装置において、複数のキーを配列したキーボードと、開閉自在に設けられて所定の事項を表示する薄型扁平形状の表示部と、ロール紙の挿入を受け付けるスリット状の用紙挿入口を有してその用紙挿入口から挿入されたロール紙に所定の事項を印字して略上方に排出するプリンタと、を前記読取溝に沿ってカード引抜方向下流側からカード引抜方向上流側に向けて順に配設し、前記表示部の下方であって前記プリンタよりカード引抜方向下流側に形成され、前記ロール紙をロール下側から補助ローラにより導いて前記プリンタ側に引出自在に収納し、前記用紙挿入口を開口させ、前記表示部の開閉により外部に対して開放・閉塞自在な用紙収納部を備え、前記用紙挿入口は、前記プリンタの側であって、前記ロール紙を前記用紙収納部に収納した状態であっても当該ロール紙によって遮蔽されない位置に形成されており、前記補助ローラは、前記用紙収納部に前記ロール紙が収納された状態で、ロール下側から引き出された当該ロール紙のみを前記用紙挿入口に導く位置に配置されている。
【０００８】
したがって、プリンタよりカード引抜方向下流側に位置する表示部の下方にプリンタの用紙挿入口を開口させた用紙収納部が備えられる。また、この用紙収納部は、薄型扁平形状の表示部の開閉により外部に対して開放・閉塞自在であって、ロール紙がロール下側からプリンタ側に引出自在に収納される。これにより、表示部の開閉によって用紙収納部を開放させてロール紙を収納する際には、カード引抜方向上流側に位置するプリンタの用紙挿入口の確認が容易になり、ロール下側から引出されたロール紙の用紙挿入口へのセットが容易になる。また、ロール紙がプリンタよりカード引抜方向下流側に位置してロール下側から引き出されることにより、略上方に向けて排出される印字後のロール紙は、その巻き癖によってキーボード側に倒れることになる。
【００１１】
請求項２記載の発明は、請求項１記載の磁気カードデータ処理装置において、前記表示部の開閉支点は、前記キーボード側端部に位置する。
【００１２】
したがって、表示部の開閉支点がキーボード側端部に位置することにより、通常運用の際には、操作者に対する表示部の傾斜角度の調整が可能になる。
【００１３】
請求項３記載の発明は、請求項２記載の磁気カードデータ処理装置において、前記キーボードをカード引抜方向上流側からカード引抜方向下流側に向って傾斜させて備え、前記表示部の最大開放位置をそのキーボードの表面に対する角度が略直角になる位置にする。
【００１４】
したがって、表示部の最大開放位置が傾斜して備えられたキーボードの表面に対して表示部が略直角になる位置であることにより、ロール紙の用紙収納部への収納が容易になるとともに、ロール紙を収納する際におけるキーボードの操作が可能になり、例えばロール紙の送りやロール紙の巻き戻し等の調整作業が可能になる。
【００１５】
【発明の実施の形態】
本発明の実施の一形態を図１ないし図３に基づいて説明する。本実施の形態の磁気カードデータ処理装置は、磁気カードであるクレジットカードを利用するクレジット決済における信用チェック等に使用するＣＡＴに適用されている。
【００１６】
ここで、図１はＣＡＴ１を概略的に示す外観斜視図、図２はディスプレイ６とプリンタカバー９とを開放させた状態のＣＡＴ１を概略的に示す外観斜視図、図３はディスプレイ６を開放させた状態のＣＡＴ１の内部構造を部分的に切り欠いて示す側面図である。図１に示すように、ＣＡＴ１の筐体である本体ケース２の操作者側から見て右側には、クレジットカードの磁気ストライプを少なくとも挿入させて操作者側に引き抜くことができるようなスリット状の読取溝３を備えた磁気カードリーダ部４が設けられている。この磁気カードリーダ部４には、クレジットカードの磁気ストライプに記録されたデータの読み取りを行なうための磁気カードリーダ（図示せず）が内蔵されている。
【００１７】
加えて、ＣＡＴ１には、読取溝３に沿うようにＣＡＴ１の操作者側（カード引抜方向下流側）から奥側（カード引抜方向上流側）に向って、置数キー等の各種のキーが集合するキーボード５、ＬＣＤ（Liquid Crystal Display）を備えた薄型扁平形状であって取引内容や操作案内等を表示する表示部として機能するディスプレイ６、サーマルプリンタ７（図２参照）を内蔵してそのサーマルプリンタ７によって印字されるレシートＲ（図３参照）を発行するレシート発行口８が形成されたプリンタカバー９が順に設けられている。また、キーボード５とディスプレイ６とプリンタカバー９とによって、ＣＡＴ１には、操作者側（カード引抜方向下流側）から奥側（カード引抜方向上流側）に向う昇斜面が形成されている。
【００１８】
図２に示すように、ディスプレイ６は、キーボード５側端部であるその下端部６ａにおいて軸６ｂ（図３参照）によって回動自在に軸支されており、本体ケース２に対して開閉自在とされている。このディスプレイ６は、その最大開放位置をキーボード５の表面に対する角度が略直角になる位置に規制されている。なお、ディスプレイ６はロック機構（図示せず）を備えており、本体ケース２に対する傾斜角が可変自在とされている。これにより、通常運用の際には、操作者に対するディスプレイ６の傾斜角度を見易いように調整することが可能になっている。また、プリンタカバー９は、その上端部９ａにおいて回動自在に取り付けられており、本体ケース２に対して開閉自在とされている。加えて、本体ケース２内における閉塞時のディスプレイ６の下側であってサーマルプリンタ７より操作者側には、長尺紙の外周面を印字面（感熱面）としてロール状に巻回したロール紙であるレシート用紙Ｐを落とし込み収納保持する半円筒の箱形状の用紙収納部１０が設けられている。なお、ディスプレイ６は、レシート用紙Ｐの紙幅及び直径に比して、十分に大きく形成されている。したがって、用紙収納部１０にレシート用紙Ｐを収納する際には、ディスプレイ６を操作者側に向けて回動させることにより、用紙収納部１０を外部に対して露出させることになる。
【００１９】
次に、サーマルプリンタ７について詳細に説明する。図２に示すように、サーマルプリンタ７には、レシート用紙Ｐの挿入を受け付けるスリット状の用紙挿入口７ａと、印字したレシートＲを排出するスリット状の用紙排出口７ｂとが設けられている。ここで、用紙挿入口７ａは、用紙収納部１０側に開口するように形成されており、レシート用紙Ｐを用紙収納部１０に収納した状態であってもそのレシート用紙Ｐによって遮蔽されない位置に形成されている。また、用紙排出口７ｂは、プリンタカバー９側に面して形成されており、プリンタカバー９の閉塞時においてはプリンタカバー９に形成されたレシート発行口８に一致する。さらに、図３に示すように、サーマルプリンタ７には、サーマルプリンタヘッド１１とプラテンローラ１２と搬送ローラ１３とが備えられており、用紙挿入口７ａと用紙排出口７ｂとともにレシート用紙Ｐを略上方に搬送する用紙搬送経路１４を構成している。サーマルプリンタヘッド１１はプラテンローラ１２に対向してレシート用紙Ｐの外周面に印字可能な位置に備えられ、これらサーマルプリンタヘッド１１とプラテンローラ１２とによって、印字部１５が形成されている。また、プラテンローラ１２は、モータ（図示せず）を駆動源として回転することにより搬送ローラ１３とともに用紙搬送部材としても機能する。なお、特に図示しないが、サーマルプリンタ７には、レシート用紙Ｐを所定の位置で全切断又は部分切断するカッタ機構が備えられている。
【００２０】
加えて、図３に示すように、用紙収納部１０の底部には、ローラ１６が複数個設けられている。これらのローラ１６は、用紙収納部１０に収納されたレシート用紙Ｐを負荷なく回動できる状態で保持するためのものである。また、サーマルプリンタ７の用紙挿入口７ａの近傍であって、その用紙挿入口７ａと略平行な高さに位置する用紙収納部１０の所定の位置には、用紙挿入口７ａに略水平状態でレシート用紙Ｐを導くための補助ローラ１７が設けられている。
【００２１】
このような構成において、レシート用紙Ｐは、ディスプレイ６を操作者側に向けて回動させた後、そのレシート用紙Ｐのロール下側から用紙先端部を引き出すようにして用紙収納部１０に収納される。また、引き出されたレシート用紙Ｐの用紙先端部は、サーマルプリンタ７の用紙挿入口７ａから用紙搬送経路１４に沿って印字部１５へと導かれてセットされる。この場合、サーマルプリンタ７の用紙挿入口７ａが、用紙収納部１０側に開口した状態で形成されており、レシート用紙Ｐを用紙収納部１０に収納した状態であってもそのレシート用紙Ｐによって遮蔽されない位置に形成されていることにより、操作者は用紙挿入口７ａを容易に確認することができ、レシート用紙Ｐを容易にセットすることができる。
【００２２】
また、印字部１５のサーマルプリンタヘッド１１によって所定事項を印字されたレシート用紙Ｐは、カッタ機構によって所定の位置で自動的に切断され、用紙排出口７ｂを介してレシート発行口８から排出されてレシートＲとして発行される。この場合、レシート用紙Ｐがそのロール下側から用紙先端部を引き出された状態で印字部１５に導かれることにより、その巻き癖によってプラテンローラ１２に自然に巻き付くので、用紙ジャムが防止され、かつ、サーマルプリンタヘッド１１による印字不良が防止される。加えて、レシート発行口８から略上方に向けて発行されるレシートＲは、その巻き癖によって操作者側に倒れることにより、掴み取り易くなる。また、この場合に操作者側に倒れるレシートＲの上側が印字面になっているので、操作者による印字状況のチェックがし易くなっている。
【００２３】
ここに、サーマルプリンタ７よりカード引抜方向下流側に位置するディスプレイ６の下方には、サーマルプリンタ７の用紙挿入口７ａを開口させた用紙収納部１０が形成され、また、この用紙収納部１０は、ディスプレイ６の回動により外部に対して開放・閉塞自在であって、レシート用紙Ｐがロール下側から用紙引出自在に収納される。これにより、ディスプレイ６の回動によって用紙収納部１０を開放させてレシート用紙Ｐを収納する際には、カード引抜方向上流側に位置するサーマルプリンタ７の用紙挿入口７ａの確認が容易になり、ロール下側から引出されたレシート用紙Ｐの用紙挿入口７ａへのセットが容易になる。また、レシート用紙Ｐがサーマルプリンタ７よりカード引抜方向下流側に位置してロール下側から引き出されることにより、略上方に向けて排出される印字後のレシートＲは、その巻き癖によってキーボード５側に倒れることになる。
【００２４】
また、ディスプレイ６の最大開放位置がキーボード５の表面に対してディスプレイ６が略直角になる位置であることにより、レシート用紙Ｐの用紙収納部１０への収納が容易になるとともに、レシート用紙Ｐを収納する際におけるキーボード５の操作が可能になり、例えばレシート用紙Ｐの送りやレシート用紙Ｐの巻き戻し等の調整作業が可能になる。
【００２５】
なお、本実施の形態においては、ディスプレイ６をその下端部６ａにおいて回動自在に軸支するようにしたが、これに限るものではなく、その上端部や左右の端部において回動自在に軸支するようにしても良い。
【００２６】
また、本実施の形態においては、磁気カードデータ処理装置としてＣＡＴ１を適用したが、これに限るものではなく、磁気カードリーダを備えてその磁気カードリーダの読取溝に沿ってキーボードとディスプレイとプリンタとを順に配置したものであれば、ＰＯＳ端末やＥＣＲ等の商品販売登録データ処理装置であっても良い。
【００２７】
【発明の効果】
請求項１記載の発明によれば、プリンタよりカード引抜方向下流側に位置する表示部の下方にプリンタの用紙挿入口を開口させた用紙収納部を形成し、また、この用紙収納部を薄型扁平形状の表示部の開閉により外部に対して開放・閉塞自在としてロール紙をロール下側からプリンタ側に引出自在に収納することにより、表示部の開閉によって用紙収納部を開放させてロール紙を収納する際には、カード引抜方向上流側に位置するプリンタの用紙挿入口の確認を容易にすることができ、ロール下側から引出されたロール紙の用紙挿入口へのセットを容易にすることができる。また、ロール紙をプリンタよりカード引抜方向下流側に位置させてロール下側から引き出すことにより、略上方に向けて排出する印字後のロール紙をその巻き癖によってキーボード側に倒すことができるので、発行されるレシートを掴み取り易くすることができる。
【００２８】
また、ロール紙を用紙収納部に収納した状態でそのロール紙に遮蔽されない位置に用紙挿入口を開口させることにより、用紙挿入口の位置の確認を更に容易にすることができ、ロール紙の挿入を容易にすることができる。
【００２９】
請求項２記載の発明によれば、請求項１記載の磁気カードデータ処理装置において、表示部の開閉支点をキーボード側端部に位置させることにより、通常運用の際には、操作者に対する表示部の傾斜角度を調整することができる。
【００３０】
請求項３記載の発明によれば、請求項２記載の磁気カードデータ処理装置において、表示部の最大開放位置を傾斜して備えられたキーボードの表面に対して表示部が略直角になる位置にすることにより、ロール紙の用紙収納部への収納を容易にすることができるとともに、ロール紙を収納する際にキーボードを操作することができ、例えばロール紙の送りやロール紙の巻き戻し等の調整作業をすることができる。
【図面の簡単な説明】
【図１】本発明の実施の一形態のＣＡＴを概略的に示す外観斜視図である。
【図２】ディスプレイとプリンタカバーとを開放させた状態のＣＡＴを概略的に示す外観斜視図である。
【図３】ディスプレイを開放させた状態のＣＡＴの内部構造を部分的に切り欠いて示す側面図である。
【図４】従来のＣＡＴの一例を概略的に示す外観斜視図である。
【図５】従来のＣＡＴの別の一例を概略的に示す外観斜視図である。
【符号の説明】
３      読取溝
５      キーボード
６      表示部
６ａ    キーボード側端部
７      プリンタ
７ａ    用紙挿入口
１０    用紙収納部
Ｐ      ロール紙
【図１】
0003698350.tif 000002
【図２】
0003698350.tif 000003
【図３】
0003698350.tif 000004
【図４】
0003698350.tif 000005
【図５】
0003698350.tif 000006